(57)【要約】【課題】  仕入先に関するランク付けの基礎となるデータを仕入先との間で共有でき、あるいは、ランク付けや、ランク付けの基礎となるデータの収集が自動的に行われる仕入先ランク付けシステム等を提供することである。【解決手段】  データベースサーバ２は、量産システム１より、部品に関する情報を示す部品基礎データを取得して記憶する。部品基礎データの一部は担当区端末４からも取得する。仕入先端末３は、仕入先に関する情報を示す仕入先基礎データをデータベースサーバ２に供給し、データベースサーバ２はこれを記憶して、当該仕入先宛ての電子メールを送る。その後、仕入先端末３から当該仕入先に関するデータの閲覧を要求されるとデータベースサーバ２は該当するデータを仕入先端末３に送り、仕入先に閲覧させる。そして、データベースサーバ２は、記憶した部品基礎データに基づいて部品及び／又は仕入先をランク分けし、その結果を出力する。【選択図】        図１
2005182107.tif 000002
【特許請求の範囲】
【請求項１】
外部の部品基礎データ記憶装置より、仕入先より供給を受ける部品に関する情報を示す部品基礎データを取得して記憶するデータベースサーバと、
前記データベースサーバにアクセスする仕入先端末と、を備え、
前記仕入先端末は、
特定の仕入先より供給される部品に関する部品基礎データの閲覧を要求するデータを操作者の操作に従って前記データベースサーバに供給する手段と、
前記データベースサーバより供給された部品基礎データを出力する手段と、を備え、
前記データベースサーバは、
前記仕入先端末より、特定の仕入先より供給される部品に関する部品基礎データの閲覧を要求するデータを供給されたことに応答して、当該仕入先より供給される部品に関する部品基礎データを読み出して当該仕入先端末に供給する手段と、
記憶した部品基礎データに基づき、部品及び／又は仕入先を所定の基準に従ってランク分けした結果を表すデータを生成して出力する手段と、を備える、
ことを特徴とする仕入先ランク付けシステム。
【請求項２】
前記部品基礎データの少なくとも一部を外部より取得して前記データベースサーバに供給する担当者端末を更に備える、
ことを特徴とする請求項１に記載の仕入先ランク付けシステム。
【請求項３】
前記仕入先端末は、前記仕入先に関する情報を表すデータを外部より取得して前記データベースサーバに供給し、
前記データベースサーバは、前記仕入先端末より供給された仕入先基礎データを取得して記憶する、
ことを特徴とする請求項１又は２に記載の仕入先ランク付けシステム。
【請求項４】
前記データベースサーバは、仕入先に関する情報を表すデータを取得したことに応答し、当該仕入先に宛てた電子メールを外部に送出する手段を備える、
ことを特徴とする請求項３に記載の仕入先ランク付けシステム。
【請求項５】
前記部品基礎データは、部品の品質、部品の納期遅延、部品のコストダウン額、及び／又は部品のコストの初期値を表すデータを含んでいる、
ことを特徴とする請求項１乃至４のいずれか１項に記載の仕入先ランク付けシステム。
【請求項６】
外部の部品基礎データ記憶装置より、仕入先より供給を受ける部品に関する情報を示す部品基礎データを取得して記憶する手段と、
外部の仕入先端末より、特定の仕入先より供給される部品に関する部品基礎データの閲覧を要求するデータを供給されたことに応答して、当該仕入先より供給される部品に関する部品基礎データを読み出して当該仕入先端末に供給する手段と、
記憶した部品基礎データに基づき、部品及び／又は仕入先を所定の基準に従ってランク分けした結果を表すデータを生成して出力する手段と、を備える、
ことを特徴とする仕入先ランク付け装置。
【請求項７】
外部の部品基礎データ記憶装置より、仕入先より供給を受ける部品に関する情報を示す部品基礎データを取得して記憶し、
外部の仕入先端末より、特定の仕入先より供給される部品に関する部品基礎データの閲覧を要求するデータを供給されたことに応答して、当該仕入先より供給される部品に関する部品基礎データを読み出して当該仕入先端末に供給し、
記憶した部品基礎データに基づき、部品及び／又は仕入先を所定の基準に従ってランク分けした結果を表すデータを生成して出力する、
ことを特徴とする仕入先ランク付け方法。
【請求項８】
コンピュータを、
外部の部品基礎データ記憶装置より、仕入先より供給を受ける部品に関する情報を示す部品基礎データを取得して記憶する手段と、
外部の仕入先端末より、特定の仕入先より供給される部品に関する部品基礎データの閲覧を要求するデータを供給されたことに応答して、当該仕入先より供給される部品に関する部品基礎データを読み出して当該仕入先端末に供給する手段と、
記憶した部品基礎データに基づき、部品及び／又は仕入先を所定の基準に従ってランク分けした結果を表すデータを生成して出力する手段と、
して機能させるためのプログラム。
【発明の詳細な説明】
【技術分野】
【０００１】
本発明は、部品の仕入先をランク付けするための仕入先ランク付けシステム、仕入先ランク付け装置、仕入先ランク付け方法及びプログラムに関する。
【背景技術】
【０００２】
部品を仕入れ、この部品を用いて製品を製造する製造業者は、良質な部品を有利な条件で仕入れるため、一般に、優良な仕入先を発見ないし特定したり、優良な仕入先との良好な関係の維持に努めたり、あるいは仕入先をより優良な仕入先とするための努力をしたりしている。
【０００３】
優良な仕入先を特定するため、従来より、仕入先が納入する部品の品質や納期の遅延、コストダウン額などの情報を収集し、収集したこれらの情報を基礎として仕入先や部品の品質などをランク付けする、といった作業が行われている。
【特許文献１】特開２００３−１２２８１７号公報
【発明の開示】
【発明が解決しようとする課題】
【０００４】
しかし、手作業による情報の収集やランク付けは面倒であり、誤りも生じやすい。また、優良な仕入先との良好な関係を維持したり、仕入先をより優良にしたりするに当たっては、ランク分けの基礎となったデータを製造業者と仕入先とが共有する（具体的には、例えば、両者が同一のデータを同時に閲覧可能とする）ことにより両者が共通の基盤に立ち、その上で両者が協力し合うことが重要であるが、上述した従来の手法では、ランク付けの基礎となるデータを製造業者と仕入先とが共有することが困難であった。
【０００５】
本発明は、上記実情に鑑みてなされたもので、仕入先に関するランク付けの基礎となるデータを仕入先との間で共有でき、あるいは、ランク付けや、ランク付けの基礎となるデータの収集が自動的に行われる仕入先ランク付けシステム、仕入先ランク付け装置、仕入先ランク付け方法及びプログラムを提供することを目的とする。
【課題を解決するための手段】
【０００６】
上記目的を達成するため、この発明の第１の観点に係る仕入先ランク付けシステムは、
外部の部品基礎データ記憶装置より、仕入先より供給を受ける部品に関する情報を示す部品基礎データを取得して記憶するデータベースサーバと、
前記データベースサーバにアクセスする仕入先端末と、を備え、
前記仕入先端末は、
特定の仕入先より供給される部品に関する部品基礎データの閲覧を要求するデータを操作者の操作に従って前記データベースサーバに供給する手段と、
前記データベースサーバより供給された部品基礎データを出力する手段と、を備え、
前記データベースサーバは、
前記仕入先端末より、特定の仕入先より供給される部品に関する部品基礎データの閲覧を要求するデータを供給されたことに応答して、当該仕入先より供給される部品に関する部品基礎データを読み出して当該仕入先端末に供給する手段と、
記憶した部品基礎データに基づき、部品及び／又は仕入先を所定の基準に従ってランク分けした結果を表すデータを生成して出力する手段と、を備える、
ことを特徴とする。
【０００７】
このような仕入先ランク付けシステムによれば、仕入先に関するランク付けの基礎となるデータが、データベースサーバと仕入先端末とによって共有される。また、ランク付けや、ランク付けの基礎となるデータの収集が、データベースサーバによって自動的に行われる。
【０００８】
前記仕入先ランク付けシステムは、前記部品基礎データの少なくとも一部を外部より取得して前記データベースサーバに供給する担当者端末を更に備えるものであってもよい。このような構成を有していれば、データベースサーバは担当者端末からも部品基礎データを取得する。
【０００９】
前記仕入先端末は、前記仕入先に関する情報を表すデータを外部より取得して前記データベースサーバに供給してもよく、前記データベースサーバは、前記仕入先端末より供給された仕入先基礎データを取得して記憶するものであってもよい。
【００１０】
前記データベースサーバは、仕入先に関する情報を表すデータを取得したことに応答し、当該仕入先に宛てた電子メールを外部に送出する手段を備えるものであってもよい。このような構成を有していれば、仕入先に関する情報を表すデータをデータベースサーバが取得した旨が、この電子メールの宛先に通知される。
【００１１】
前記部品基礎データは、例えば、部品の品質、部品の納期遅延、部品のコストダウン額、及び／又は部品のコストの初期値を表すデータを含んでいればよい。
【００１２】
また、この発明の第２の観点に係る仕入先ランク付け装置は、
外部の部品基礎データ記憶装置より、仕入先より供給を受ける部品に関する情報を示す部品基礎データを取得して記憶する手段と、
外部の仕入先端末より、特定の仕入先より供給される部品に関する部品基礎データの閲覧を要求するデータを供給されたことに応答して、当該仕入先より供給される部品に関する部品基礎データを読み出して当該仕入先端末に供給する手段と、
記憶した部品基礎データに基づき、部品及び／又は仕入先を所定の基準に従ってランク分けした結果を表すデータを生成して出力する手段と、を備える、
ことを特徴とする。
【００１３】
このような仕入先ランク付け装置によれば、仕入先に関するランク付けの基礎となるデータが、データベースサーバと仕入先端末とによって共有される。また、ランク付けや、ランク付けの基礎となるデータの収集が、データベースサーバによって自動的に行われる。
【００１４】
また、この発明の第３の観点に係る仕入先ランク付け方法は、
外部の部品基礎データ記憶装置より、仕入先より供給を受ける部品に関する情報を示す部品基礎データを取得して記憶し、
外部の仕入先端末より、特定の仕入先より供給される部品に関する部品基礎データの閲覧を要求するデータを供給されたことに応答して、当該仕入先より供給される部品に関する部品基礎データを読み出して当該仕入先端末に供給し、
記憶した部品基礎データに基づき、部品及び／又は仕入先を所定の基準に従ってランク分けした結果を表すデータを生成して出力する、
ことを特徴とする。
【００１５】
このような仕入先ランク付け方法によれば、仕入先に関するランク付けの基礎となるデータが、この仕入先ランク付け方法を行う装置と仕入先端末とによって共有される。また、ランク付けや、ランク付けの基礎となるデータの収集が自動的に行われる。
【００１６】
また、この発明の第４の観点に係るプログラムは、
コンピュータを、
外部の部品基礎データ記憶装置より、仕入先より供給を受ける部品に関する情報を示す部品基礎データを取得して記憶する手段と、
外部の仕入先端末より、特定の仕入先より供給される部品に関する部品基礎データの閲覧を要求するデータを供給されたことに応答して、当該仕入先より供給される部品に関する部品基礎データを読み出して当該仕入先端末に供給する手段と、
記憶した部品基礎データに基づき、部品及び／又は仕入先を所定の基準に従ってランク分けした結果を表すデータを生成して出力する手段と、
して機能させるためのものであることを特徴とする。
【００１７】
このようなプログラムを実行するコンピュータによれば、仕入先に関するランク付けの基礎となるデータが、このコンピュータと仕入先端末とによって共有される。また、ランク付けや、ランク付けの基礎となるデータの収集が、このコンピュータによって自動的に行われる。
【発明の効果】
【００１８】
本発明によれば、仕入先に関するランク付けの基礎となるデータを仕入先との間で共有でき、あるいは、ランク付けや、ランク付けの基礎となるデータの収集が自動的に行われる仕入先ランク付けシステム、仕入先ランク付け装置、仕入先ランク付け方法及びプログラムが実現される。
【発明を実施するための最良の形態】
【００１９】
以下、本発明の実施の形態を、仕入先ランク付けシステムを例とし、図面を参照して説明する。
図１は、この仕入先ランク付けシステムの構成を示す図である。図示するように、この仕入先ランク付けシステムは、量産システム１と、データベースサーバ２と、仕入先端末３と、担当区端末４とより構成されている。
【００２０】
量産システム１は、製品を製造する量産ラインを備える工場などに配置される。量産システム１は、例えばサーバコンピュータより構成されており、制御部と、記憶部と、入力部と、出力部と、通信制御部とを備えている。量産システム１の記憶部、入力部、出力部及び通信制御部は、量産システム１の制御部に接続されている。
【００２１】
量産システム１の制御部は、例えばＣＰＵ（Central Processing Unit）等のプロセッサより構成されており、量産システム１の記憶部が記憶するプログラムを実行することにより、後述の処理を行う。
【００２２】
量産システム１の記憶部は、ＲＡＭ（Random Access Memory）等の揮発性メモリや、ハードディスク装置等の不揮発性メモリより構成されており、量産システム１の制御部が実行する上述のプログラムを予め記憶しており、また、当該制御部のワークエリアとなる記憶領域を提供する。また、量産システム１の記憶部を構成する不揮発性メモリは、当該制御部が行う処理に従って、部品の仕入先、品質、納期の遅延量、及びコストダウン額を表すデータを記憶したり、読み出して当該制御部に供給したりする。
【００２３】
量産システム１の入力部は、例えばキーボードやマウス等より構成されており、操作者の操作に従ったデータを、量産システム１の制御部に供給する。
量産システム１の出力部は、例えば液晶ディスプレイ等の表示装置や、プリンタ等より構成されており、量産システム１の制御部が供給する指示に従った文字や画像を、表示画面上に印刷したり、あるいは、紙等のシート上に印刷したりする。
【００２４】
量産システム１の通信制御部は、例えばモデムあるいはＬＡＮ（Local Area Network）インターフェース回路等より構成されており、インターネット等のネットワークあるいは専用回線等からなる通信回線を介して、データベースサーバ２の後述する通信制御部に接続される。量産システム１の通信制御部は、量産システム１の制御部がデータベースサーバ２との間で行うデータの伝送を媒介する。
【００２５】
データベースサーバ２は、上述の量産ラインを管理する企業が利用している建物などに配置される。データベースサーバ２は、例えばサーバコンピュータより構成されており、量産システム１と実質的に同一の物理的構成を有している。
【００２６】
データベースサーバ２の制御部は、データベースサーバ２の記憶部が記憶するプログラムを実行することにより、後述の処理を行う。データベースサーバ２の記憶部は、データベースサーバ２の制御部が実行する上述のプログラムを予め記憶しており、また、当該制御部のワークエリアとなる記憶領域を提供する。また、データベースサーバ２の記憶部を構成する不揮発性メモリは、当該制御部が行う処理に従って、後述の部品基礎データ及び仕入先基礎データ部品を記憶したり、読み出して当該制御部に供給したりする。
【００２７】
データベースサーバ２の入力部は、操作者の操作に従ったデータを、量産システム１の制御部に供給する。データベースサーバ２の出力部は、データベースサーバ２の制御部が供給する指示に従った文字や画像を、表示画面上に印刷したり、あるいは、紙等のシート上に印刷したりする。
【００２８】
データベースサーバ２の通信制御部は、インターネット等のネットワークに接続されており、更に、このネットワークあるいは専用回線等からなる通信回線を介して、量産システム１の通信制御部に加え、更に仕入先端末３の後述する通信制御部と、担当区端末４の後述する通信制御部とに接続される。データベースサーバ２の通信制御部は、データベースサーバ２の制御部が量産システム１、仕入先端末３及び担当区端末４との間で行うデータの伝送を媒介する。
【００２９】
なお、データベース２及び量産システム１を結ぶ通信回線と、なお、データベース２及び仕入先端末３を結ぶ通信回線と、なお、データベース２及び担当区端末４を結ぶ通信回線とは、互いに別個のネットワークに属していてもよいし、これら３個の通信回線のいずれか２個が共通のネットワークに属していてもよいし、あるいは図１に示すように、これら３個の通信回線が共通のネットワークＮに属していてもよい。
【００３０】
仕入先端末３は、上述の量産ラインで製造される上述の製品の部品ないし原材料を供給する企業等（仕入先）に配置される。仕入先端末３は、例えばパーソナルコンピュータより構成されており、制御部と、記憶部と、入力部と、出力部と、通信制御部とを備えている。仕入先端末３の記憶部、入力部、出力部及び通信制御部は、仕入先端末３の制御部に接続されている。
【００３１】
仕入先端末３の制御部は、例えばＣＰＵ等のプロセッサより構成されており、仕入先端末３の記憶部が記憶するプログラムを実行することにより、後述の処理を行う。仕入先端末３の記憶部は、ＲＡＭ等の揮発性メモリや、ハードディスク装置等の不揮発性メモリより構成されており、仕入先端末３の制御部が実行する上述のプログラムを予め記憶しており、また、当該制御部のワークエリアとなる記憶領域を提供する。
【００３２】
仕入先端末３の入力部は、例えばキーボードやマウス等より構成されており、操作者の操作に従ったデータを、仕入先端末３の制御部に供給する。仕入先端末３の出力部は、例えば液晶ディスプレイ等の表示装置や、プリンタ等より構成されており、仕入先端末３の制御部が供給する指示に従った文字や画像を、表示画面上に印刷したり、あるいは、紙等のシート上に印刷したりする。
【００３３】
仕入先端末３の通信制御部は、例えばモデムあるいはＬＡＮインターフェース回路等より構成されており、仕入先端末３の制御部がデータベースサーバ２との間で行うデータの伝送を媒介する。
【００３４】
担当区端末４は、上述の量産ラインを管理する企業の資材ないし購買担当の部署等（「担当区」）に配置される。担当区端末４は例えばパーソナルコンピュータより構成されており、仕入先端末３と実質的に同一の構成を有している。
【００３５】
担当区端末４の制御部は、担当区端末４の記憶部が記憶するプログラムを実行することにより、後述の処理を行う。担当区端末４の記憶部は、担当区端末４の制御部が実行する上述のプログラムを予め記憶しており、また、当該制御部のワークエリアとなる記憶領域を提供する。担当区端末４の入力部は、操作者の操作に従ったデータを担当区端末４の制御部に供給する。担当区端末４の出力部は、担当区端末４の制御部が供給する指示に従った文字や画像を、表示画面上に印刷したり、あるいは、紙等のシート上に印刷したりする。担当区端末４の通信制御部は、担当区端末４の制御部がデータベースサーバ２との間で行うデータの伝送を媒介する。
【００３６】
次に、この仕入先ランク付けシステムの動作を、図２及び図３を参照して説明する。図２及び図３は、この仕入先ランク付けシステムが実行する処理の流れを示すフローチャートである。
【００３７】
まず、量産システム１の操作者は、量産システム１を操作し、量産システム１に、上述の量産ラインが部品の製造に用いているそれぞれの部品について、当該部品の仕入先、品質、納期の遅延量、及びコストダウン額を表すデータを入力する。量産システム１は、入力されたこれらのデータを記憶する。なお、部品の品質を表すデータは、例えば、当該部品を受け入れる工場の担当者等が、受入検査の結果等に基づき、当該部品の品質を、最良から最悪までの複数のランクのいずれかにランク付けした結果を示す値を有するものであればよい。
【００３８】
そして、データベースサーバ２は、量産システム１より、それぞれの部品について、当該部品の仕入先、品質、納期の遅延量、及びコストダウン額を表すデータをダウンロードし、記憶する。（図２、ステップＳ１）。ステップＳ１でのダウンロードは、例えば所定の周期で定期的に行えばよい。この場合、データベースサーバ２は、例えば、現在日時を示す現在日時データを連続的に生成するタイマーを備えるものとし、データベースサーバ２の制御部がこの現在日時データを逐次参照して、所定の周期の到来を検知するようにしてもよい。あるいは、データベースサーバ２の制御部が、この現在日時データを通信回線を介して外部より取得して逐次参照し、所定の周期の到来を検知するようにしてもよい。
【００３９】
一方、担当区の担当者等である操作者は、担当区端末４を操作し、担当区端末４に、それぞれの部品のイニシャルコストの値（コストの初期値）を入力する（ステップＳ２）。データベースサーバ２は、この入力に応答して、入力された値を表すデータを作成し、このデータをデータベースサーバ２に送信する（ステップＳ３）。データベースサーバ２は、ステップＳ３で送信されたこのデータを受信して記憶する（ステップＳ４）。
なお、本明細書及び図面では、部品の仕入先、品質、納期の遅延量、及びコストダウン額を表すデータと、部品のイニシャルコストを表すデータとを総称して、部品基礎データと呼ぶこととする。
【００４０】
一方、仕入先の従業員等である操作者は、仕入先端末３を操作し、仕入先端末３に、当該仕入先の各種ステータス（具体的には、たとえば財務状況や、電子メールアドレス等）を表す仕入先基礎データを入力する（ステップＳ５）。データベースサーバ２は、入力された仕入先基礎データをデータベースサーバ２に送信する（ステップＳ６）。データベースサーバ２は、ステップＳ３で送信された仕入先基礎データを受信して記憶する（ステップＳ７）。
【００４１】
そして、データベースサーバ２は、仕入先基礎データに含まれている仕入先の電子メールアドレスを宛先とする電子メールを作成し、外部のネットワークへと送出する（ステップＳ８）。ステップＳ８で送出する電子メールは、例えば、仕入先に対し、仕入先基礎データの登録が完了した旨や、仕入先基礎データ及び部品基礎データの閲覧の受け付けを開始する旨の文面を含んだものであればよい。
【００４２】
仕入先の担当者等は、例えば仕入先端末３や、あるいはネットワークに接続された任意の端末を操作して、ステップＳ８で送出された電子メールを受信し、仕入先基礎データの登録が完了したこと、及び、仕入先基礎データや部品基礎データの閲覧が可能となったことを知る。なお、仕入先端末３が電子メールを受信する場合、仕入先端末３の通信制御部は外部のネットワークに接続されているものとする。
【００４３】
そして、データベースサーバ２がステップＳ７の処理を完了して以降に、仕入先端末３の操作者が、仕入先端末３を操作し、データベースサーバ２が記憶する部品基礎データ及び／又は仕入先基礎データの閲覧を指示すると、仕入先端末３は、この指示をデータベースサーバ２に送信する（図３、ステップＳ９）。そしてデータベースサーバ２は、仕入先端末３より送信されたこの指示に応答して、この指示に該当する部品基礎データ及び／又は仕入先基礎データを読み出して、読み出したデータを、指示の供給元である仕入先端末３に送信する（ステップＳ１０）。仕入先端末３は、ステップＳ１０でデータベースサーバ２より送信されてきたデータを受信し、このデータを表示する。
【００４４】
ただし、ステップＳ１０でデータベースサーバ２は、ステップＳ８で送出した電子メールの宛先である仕入先についての仕入先基礎データ、及び、当該仕入先が納入する部品についての部品基礎データのみを読み出しの対象とし、その他のデータの閲覧が指示された場合は、該当するデータを読み出さず、代わって、例えば所定のエラーメッセージを仕入先端末３に送信するものとする。
【００４５】
一方、データベースサーバ２は、部品基礎データ（すなわち、量産システムよりダウンロードした、部品の仕入先、品質、納期の遅延量、及びコストダウン額を表すデータと、担当区端末４より受信した、部品のイニシャルコスト）を集計する（ステップＳ１１）。
【００４６】
具体的には、ステップＳ１１でデータベースサーバ２は、例えば、部品の品質の仕入先別平均及び部品別平均や、部品の納期の遅延量の仕入先別平均及び部品別平均や、部品のコストダウン額の仕入先別平均及び部品別平均や、部品のイニシャルコストの仕入先別平均及び部品別平均を求め、求めた各値を表すデータ（以下、平均値データと呼ぶ）を記憶する。
【００４７】
また、ステップＳ１１でデータベースサーバ２は、例えば、部品の品質の仕入先別の最良値及び部品別の最良値や、部品の納期の遅延量の仕入先別の最良値及び部品別の最良値や、部品のコストダウン額の仕入先別の最良値及び部品別の最良値や、部品のイニシャルコストの仕入先別の最良値及び部品別の最良値を求め、求めた各値を表すデータ（以下、最良値データと呼ぶ）を記憶する。なお、部品の納期の遅延量及びイニシャルコストは小さいほど良い値であるものとし、コストダウン額は大きいほど良い値であるものとする。
【００４８】
そして、データベースサーバ２は、ステップＳ１１で求めた平均値データに基づき、所定の基準に従って、それぞれの仕入先及びそれぞれの部品をランク分けし、ランク分けの結果を示すデータ（以下、ランクデータと呼ぶ）を生成して記憶する（ステップＳ１２）。
【００４９】
ステップＳ１２におけるランク分けの具体的な処理として、データベースサーバ２は、例えば、それぞれの部品を、品質の部品別平均の値の順位（もっとも値が良い方、又はもっとも値が悪い方から数えた場合における全部品中での順位）に従って、複数のランクのいずれかに分類する（より具体的には、例えば、品質の部品別平均の値が全部品中の上位から２０％未満、上位から２０％以上４０％未満、上位から４０％以上６０％未満、上位から６０％以上８０％未満、及びから上位８０％以下、の５個のランクのいずれかに分類すればよい）。
【００５０】
同様に、データベースサーバ２はステップＳ１２で、例えば、それぞれの部品について、納期の遅延量の部品別平均の値の順位に従ったランク分けや、コストダウン額の部品別平均の値の順位に従ったランク分けや、イニシャルコストの部品別平均の値の順位に従ったランク分けも行う。
【００５１】
また、ステップＳ１２におけるランク分けの処理としてデータベースサーバ２は、例えば、それぞれの仕入先を、品質の仕入先別平均の値の順位（もっとも値が良い方、又はもっとも値が悪い方から数えた場合における全仕入先中での順位）に従って、複数のランクのいずれかに分類する。
【００５２】
同様に、データベースサーバ２はステップＳ１２で、例えば、それぞれの仕入先について、納期の遅延量の仕入先別平均の値の順位に従ったランク分けや、コストダウン額の仕入先別平均の値の順位に従ったランク分けや、イニシャルコストの仕入先別平均の値の順位に従ったランク分けも行う。
【００５３】
また、ステップＳ１２でデータベースサーバ２は、それぞれの部品を、品質の部品別の最良値の順位（もっとも値が良い方、又はもっとも値が悪い方から数えた場合における全部品中での順位）に従ってランク分けしてもよい。納期の遅延量の部品別の最良値の順位に従ったランク分けや、コストダウン額の部品別の最良値の順位に従ったランク分けや、イニシャルコストの部品別の最良値の順位に従ったランク分けを行ってもよい。
【００５４】
また、ステップＳ１２でデータベースサーバ２は、それぞれの仕入先を、品質の仕入先別の最良値の順位（もっとも値が良い方、又はもっとも値が悪い方から数えた場合における全仕入先中での順位）に従ってランク分けしてもよい。納期の遅延量の仕入先別の最良値の順位に従ったランク分けや、コストダウン額の仕入先別の最良値の順位に従ったランク分けや、イニシャルコストの仕入先別の最良値の順位に従ったランク分けを行ってもよい。
【００５５】
ステップＳ１２の処理が完了して以降、データベースサーバ２の操作者が、データベースサーバ２を操作し、データベースサーバ２が記憶するランクデータ、平均値データ、最良値データ、部品基礎データ、仕入先基礎データの検索や出力を指示すると、データベースサーバ２は、この指示に応答して、この指示が示す通りの検索を行ったり、この指示が示すデータを読み出して出力する（ステップＳ１３）。なお、当該データの出力の処理として、データベースサーバ２は、例えば、出力部をなす表示装置による当該データの表示や、出力部をなすプリンタによる当該データの印刷を行うようにすればよい。
【００５６】
また、ステップＳ１２の処理が完了して以降、仕入先端末３（又は担当区端末４）の操作者が、仕入先端末３（又は担当区端末４）を操作し、データベースサーバ２が記憶するランクデータ、平均値データ、最良値データ、部品基礎データ、仕入先基礎データの検索や出力を指示すると、仕入先端末３（又は担当区端末４）は、この指示をデータベースサーバ２に送信する。そしてデータベースサーバ２は、仕入先端末３（又は担当区端末４）より送信されたこの指示に応答して、この指示が示す通りの検索を行ったり、この指示が示すデータを読み出したりして、検索結果を表すデータや、読み出したりしたデータを、指示の供給元である仕入先端末３（又は担当区端末４）に転送する（ステップＳ１３）。仕入先端末３（又は担当区端末４）は、ステップＳ１３でデータベースサーバ２より転送されてきたデータを受信し、このデータを出力する（ステップＳ１４）。当該データの出力の処理として、仕入先端末３（又は担当区端末４）は、例えば、出力部をなす表示装置による当該データの表示や、出力部をなすプリンタによる当該データの印刷を行うようにすればよい。
【００５７】
なお、この仕入先ランク付けシステムの構成は上述のものに限られない。
例えば、データベースサーバ２は、ステップＳ８で送出する電子メールの宛先となる仕入先の電子メールアドレスを予め記憶していてもよい。この場合、ステップＳ６で仕入先端末３が送信する仕入先基礎データには、必ずしも仕入先の電子メールアドレスが含まれている必要はない。ただしこの場合、宛先となるべき仕入先ないしは電子メールアドレスをデータベースサーバ２が特定できるようにするため、例えば、仕入先端末３が、仕入先端末３自身を識別する識別符号（例えば、仕入先端末３に割り当てられたＩＰ（Internet Protocol）アドレス等）をステップＳ６で仕入先基礎データと共にデータベースサーバ２に送信し、データベースサーバ２は、この識別符号に基づいて、仕入先を特定するものとする。なお、データベースサーバ２は、例えば、識別符号と仕入先ないしは仕入先の電子メールアドレスとの対応関係を示すテーブルを予め記憶し、このテーブルを参照することにより、識別符号から仕入先を特定するようにすればよい。
【００５８】
また、ステップＳ６で仕入先端末３が送信する仕入先基礎データに仕入先の電子メールアドレスが含まれていない場合は、例えば、仕入先端末３が、ステップＳ９においても自己を識別する識別符号を上述の閲覧の指示と共にデータベースサーバ２に送信し、データベースサーバ２は、ステップＳ１０でこの識別符号に基づいて仕入先を特定し、特定した仕入先が納入する部品についての部品基礎データを読み出しの対象とするようにすればよい。
【００５９】
また、データベースサーバ２は、ステップＳ１２で、仕入先基礎データに基づいて仕入先のランク付けを行ってもよい。具体的には、例えば、仕入先基礎データが、仕入先の財務状況を表す情報として、仕入先の債務の残高を示す情報を含んでいる場合は、当該残高に基づいて、仕入先の経済的な信用度をランク分けする等すればよい。
【００６０】
以上、この発明の実施の形態を説明したが、この発明にかかる仕入先ランク付けシステムは、専用のシステムによらず、通常のコンピュータシステムを用いて実現可能である。例えば、インターネット等のネットワークを介して接続された複数のコンピュータに、上述の量産システム１、データベースサーバ２、仕入先端末３及び担当区端末４の動作を実行させるためのプログラムを格納した媒体（ＣＤ−ＲＯＭ、ＭＯ等）からこれらのプログラムをインストールすることにより、上述の処理を実行する仕入先ランク付けシステムを構成することができる。
【００６１】
また、例えば、通信回線の掲示板（ＢＢＳ）にこれらのプログラムをアップロードし、これを通信回線を介して配信してもよく、また、これらのプログラムを表す信号により搬送波を変調し、得られた変調波を伝送し、この変調波を受信した装置が変調波を復調してこれらのプログラムを復元するようにしてもよい。そして、これらのプログラムを起動し、ＯＳの制御下に、他のアプリケーションプログラムと同様に実行することにより、上述の処理を実行することができる。
【００６２】
なお、ＯＳが処理の一部を分担する場合、あるいは、ＯＳが本願発明の１つの構成要素の一部を構成するような場合には、記録媒体には、その部分を除いたプログラムを格納してもよい。この場合も、この発明では、その記録媒体には、コンピュータが実行する各機能又はステップを実行するためのプログラムが格納されているものとする。
【図面の簡単な説明】
【００６３】
【図１】本発明の実施の形態に係る仕入先ランク付けシステムの構成を示す図である。
【図２】図１の仕入先ランク付けシステムが実行する処理の流れを示すフローチャートである。
【図３】図１の仕入先ランク付けシステムが実行する処理の流れの続きを示すフローチャートである。
【符号の説明】
【００６４】
１      量産システム
２      データベースサーバ
３      仕入先端末
４      担当区端末
Ｎ      ネットワーク
【図１】
2005182107.tif 000003
【図２】
2005182107.tif 000004
【図３】
2005182107.tif 000005